(57)【特許請求の範囲】
【請求項１】
正転時にインクリボンを供給する供給ロールと、
前記供給ロールから供給されたインクリボンを用いて、第１印画紙上に色材を熱転写する印画処理を行うサーマルヘッドと、
正転時に熱転写後のインクリボンを巻き取る回収ロールと、
複数の攪乱パターンデータを記憶する記憶部と、
を備え、
前記供給ロール及び前記回収ロールを逆転して熱転写後のインクリボンを前記供給ロールに巻き戻した後、前記供給ロールから熱転写後のインクリボンを供給し、前記サーマルヘッドにより第２印画紙上に色材を熱転写する残像消去処理を行い、
前記残像消去処理では、前記複数の攪乱パターンデータのいずれかに基づいて、前記熱転写後のインクリボンから前記第２印画紙上に色材を熱転写し、
前記複数の攪乱パターンデータは、人物画像用攪乱パターンデータ及び文字用攪乱パターンデータを含むことを特徴とする熱転写印画装置。
【請求項２】
所定の画面数分のインクリボンを用いた印画処理を行う毎に、前記残像消去処理を行うことを特徴とする請求項１に記載の熱転写印画装置。
【請求項３】
前記インクリボンの全領域について印画処理を行った後、前記残像消去処理を行うことを特徴とする請求項１に記載の熱転写印画装置。
【請求項４】
前記印画処理では、１画面分のインクリボンを用いて１画面分の第１印画紙上に色材を熱転写し、
前記残像消去処理では、複数画面分のインクリボンを用いて１画面分の第２印画紙上に色材を熱転写することを特徴とする請求項１乃至３のいずれかに記載の熱転写印画装置。
【請求項５】
前記人物画像用攪乱パターンデータは市松模様のパターンデータであり、前記文字用攪乱パターンデータはランダムな文字のデータであることを特徴とする請求項１乃至４のいずれかに記載の熱転写印画装置。
【請求項６】
前記インクリボンの各画面について、前記印画処理時の印画濃度を示す印画濃度情報を記憶する記憶部をさらに備え、
前記印画濃度情報に基づいて、前記サーマルヘッドにより前記第２印画紙上に色材を熱転写する際のエネルギーを調整することを特徴とする請求項１乃至５のいずれかに記載の熱転写印画装置。
【請求項７】
前記インクリボンの各画面について、前記印画処理時の印画濃度を示す印画濃度情報を記憶する記憶部と、
前記印画濃度情報に基づいて、前記供給ロール又は前記回収ロールから前記インクリボンに付与されるテンションを制御するテンション制御部と、
をさらに備えることを特徴とする請求項１乃至６のいずれかに記載の熱転写印画装置。
【請求項８】
前記供給ロール又は前記回収ロールの巻径を計算し、前記巻径に基づいて、前記供給ロール又は前記回収ロールから前記インクリボンに付与されるテンションを制御するテンション制御部をさらに備えることを特徴とする請求項１乃至６のいずれかに記載の熱転写印画装置。
【請求項９】
供給ロールを正転させてインクリボンを供給する工程と、
サーマルヘッドを用いて、前記供給ロールから供給されたインクリボンから第１印画紙上に色材を熱転写する印画処理を行う工程と、
回収ロールを正転させて、熱転写後のインクリボンを巻き取る工程と、
前記供給ロール及び前記回収ロールを逆転して熱転写後のインクリボンを前記供給ロールに巻き戻す工程と、
前記供給ロールから熱転写後のインクリボンを供給する工程と、
前記サーマルヘッドを用いて、前記供給ロールから供給された熱転写後のインクリボンから第２印画紙上に色材を熱転写する残像消去処理を行う工程と、
を備え、
前記残像消去処理では、人物画像用攪乱パターンデータ及び文字用攪乱パターンデータを含む複数の攪乱パターンデータのいずれかに基づいて、前記熱転写後のインクリボンから前記第２印画紙上に色材を熱転写することを特徴とする熱転写印画方法。
【発明の詳細な説明】
【技術分野】
【０００１】
本発明は、使用済みインクリボンの残像の漏洩を防止する熱転写印画装置及び熱転写印画方法に関する。
【背景技術】
【０００２】
サーマルヘッドとプラテンロールとの間にインクリボンと印画紙とを挟み込み、サーマルヘッドからインクリボンに熱を付与して、インクリボンの染料を印画紙に転写する熱転写プリンタが知られている。
【０００３】
熱転写プリンタでは、使用済みインクリボンに印画の残像が残っており、ここから情報が漏洩する可能性がある。例えば、業務用プリンタでは、ユーザが使用した使用済みインクリボンは店舗内にあるプリンタ内に収納されたままの状態となっている。使用済みインクリボンはプリンタ内にセットしてあるだけなので、プリンタの管理者は簡単にこれにアクセスできる。この使用済みインクリボンをそのまま廃棄した場合、第三者に印画情報が漏洩する可能性がある。そのため、使用済みインクリボンに何らかの情報漏洩防止措置を施すことが求められている。
【０００４】
例えば、巻取部に巻き取られた最外周のインクリボンを、最外周のインクリボンの内側に位置するインクリボンに接着させる熱転写システムが提案されている。このような熱転写システムによれば、巻取部に巻き取られたインク転写済のインクリボンを一体化させることができ、インク転写済のインクリボンから、印画された文字情報や画像情報の漏洩が防止できる。
【０００５】
しかし、このような熱転写システムでは、インクリボンのインクを印画紙に転写して文字や画像を印画する第１転写装置と、インク転写済のインクリボンを巻き取る巻取部の近傍に設けられ、インク転写済のインクリボンを加熱して内側に位置するインクリボンに接着させる第２転写装置との２つの転写装置が必要であり、コストが増すという問題があった。
【先行技術文献】
【特許文献】
【０００６】
【特許文献１】特開２０１３−２０２８０２号公報
【特許文献２】特開２００５−１４３９８号公報
【発明の概要】
【発明が解決しようとする課題】
【０００７】
本発明は、上記従来の実状に鑑みてなされたものであり、簡易な構成でコストを抑えて、使用済みインクリボンの残像の漏洩を防止することができる熱転写印画装置及び熱転写印画方法を提供することを課題とする。
【課題を解決するための手段】
【０００８】
本発明による熱転写印画装置は、正転時にインクリボンを供給する供給ロールと、前記供給ロールから供給されたインクリボンを用いて、第１印画紙上に色材を熱転写する印画処理を行うサーマルヘッドと、正転時に熱転写後のインクリボンを巻き取る回収ロールと、を備え、前記供給ロール及び前記回収ロールを逆転して熱転写後のインクリボンを前記供給ロールに巻き戻した後、前記供給ロールから熱転写後のインクリボンを供給し、前記サーマルヘッドにより第２印画紙上に色材を熱転写する残像消去処理を行うものである。
【０００９】
本発明の一態様による熱転写印画装置は、所定の画面数分のインクリボンを用いた印画処理を行う毎に、前記残像消去処理を行う。
【００１０】
本発明の一態様による熱転写印画装置は、前記インクリボンの全領域について印画処理を行った後、前記残像消去処理を行う。
【００１１】
本発明の一態様による熱転写印画装置において、前記印画処理では、１画面分のインクリボンを用いて１画面分の第１印画紙上に色材を熱転写し、前記残像消去処理では、複数画面分のインクリボンを用いて１画面分の第２印画紙上に色材を熱転写する。
【００１２】
本発明の一態様による熱転写印画装置は、複数の攪乱パターンデータを記憶する記憶部をさらに備え、前記残像消去処理では、前記複数の攪乱パターンデータのいずれかに基づいて、前記熱転写後のインクリボンから前記第２印画紙上に色材を熱転写する。
【００１３】
本発明の一態様による熱転写印画装置は、前記インクリボンの各画面について、前記印画処理時の印画濃度を示す印画濃度情報を記憶する記憶部をさらに備え、前記印画濃度情報に基づいて、前記サーマルヘッドにより前記第２印画紙上に色材を熱転写する際のエネルギーを調整する。
【００１４】
本発明の一態様による熱転写印画装置は、前記インクリボンの各画面について、前記印画処理時の印画濃度を示す印画濃度情報を記憶する記憶部と、前記印画濃度情報に基づいて、前記供給ロール又は前記回収ロールから前記インクリボンに付与されるテンションを制御するテンション制御部と、をさらに備える。
【００１５】
本発明の一態様による熱転写印画装置は、前記供給ロール又は前記回収ロールの巻径を計算し、前記巻径に基づいて、前記供給ロール又は前記回収ロールから前記インクリボンに付与されるテンションを制御するテンション制御部をさらに備える。
【００１６】
本発明による熱転写印画方法は、供給ロールを正転させてインクリボンを供給する工程と、サーマルヘッドを用いて、前記供給ロールから供給されたインクリボンから第１印画紙上に色材を熱転写する印画処理を行う工程と、回収ロールを正転させて、熱転写後のインクリボンを巻き取る工程と、前記供給ロール及び前記回収ロールを逆転して熱転写後のインクリボンを前記供給ロールに巻き戻す工程と、前記供給ロールから熱転写後のインクリボンを供給する工程と、前記サーマルヘッドを用いて、前記供給ロールから供給された熱転写後のインクリボンから第２印画紙上に色材を熱転写する残像消去処理を行う工程と、を備えるものである。
【発明の効果】
【００１７】
本発明によれば、簡易な構成でコストを抑えて、使用済みインクリボンの残像の漏洩を防止することができる。
【図面の簡単な説明】
【００１８】
【図１】本発明の実施形態に係る熱転写印画装置の概略構成図である。
【図２】インクリボンの平面図である。
【図３】同実施形態に係る制御装置の機能ブロック図である。
【図４】残像消去処理時の印画シートの利用例を示す図である。
【図５】同実施形態に係る熱転写印画方法を説明するフローチャートである。
【図６】別の実施形態に係る熱転写印画方法を説明するフローチャートである。
【図７】残像消去処理時の印画シートの利用例を示す図である。
【発明を実施するための形態】
【００１９】
以下、本発明の実施の形態を図面に基づいて説明する。
【００２０】
図１は本発明の実施の形態に係る熱転写印画装置の概略構成図であり、図２は熱転写印画装置で使用されるインクリボンの平面図である。熱転写印画装置は、印画シート（印画紙、受像紙）にイエロー、マゼンタ、シアンを昇華転写して、画像を印画する。印画する画像は、例えば、顔画像等の人物画像や、住所・氏名等の文字である。
【００２１】
図１、図２に示すように、熱転写印画装置は、イエロー染料を含むＹ層５１、マゼンタ染料を含むＭ層５２、シアン染料を含むＣ層５３、及び表面保護（ＯＰ）層５４が面順次に設けられたインクリボン５を用いて、印画シート７上にＹ、Ｍ、Ｃを昇華転写させて画像を印画し、画像上に保護層を形成するサーマルヘッド（印画部）１を備えている。
【００２２】
サーマルヘッド１の下流側に、インクリボン５を巻き付けて形成されたインクリボン供給ロール３が設けられ、サーマルヘッド１の上流側に、インクリボン回収ロール４が設けられている。インクリボン供給ロール３が正転して繰り出されたインクリボン５は、サーマルヘッド１を通って、正転するインクリボン回収ロール４に回収されるようになっている。
【００２３】
インクリボン供給ロール３及びインクリボン回収ロール４は逆転機能を有している。インクリボン供給ロール３及びインクリボン回収ロール４が逆転することで、インク転写済みのインクリボン５がインクリボン供給ロール３に巻き取られるようになっている。
【００２４】
サーマルヘッド１の下方側には回転自在なプラテンロール２が設けられている。さらに、サーマルヘッド１の上流側には、印画シート７の搬送を行うための回転駆動自在なキャプスタンローラ９ａと、キャプスタンローラ９ａに印画シート７を圧着させるためのピンチローラ９ｂが設けられている。
【００２５】
インクリボン５は、一方の面に、インクリボン回収ロール４側から、Ｙ層５１、Ｍ層５２、Ｃ層５３、及びＯＰ層５４が順次形成される。言い換えれば、Ｙ層５１、Ｍ層５２、Ｃ層５３、及びＯＰ層５４を含む１組（１画面分）の染料層５０が、連続して複数組設けられている。Ｙ層５１、Ｍ層５２、Ｃ層５３には、バインダ樹脂に、昇華性染料を溶融又は分散させた材料を用いることが好ましい。ＯＰ層５４には、透明で、接着性、耐光性等を有する材料を用いることが好ましい。
【００２６】
印画シート７は、印画紙ロール６に巻き付けられており、印画紙ロール６から繰り出される。印画シート７には公知のものを使用することができる。
【００２７】
熱転写印画装置は、各部の駆動を制御する制御装置１０、及び各種データを記憶する記憶部２０を備えている。図３に示すように、制御装置１０は、印画制御部１１、残像消去処理部１２、印画枚数カウント部１３、テンション制御部１４及び攪乱パターン選択部１５を備える。
【００２８】
制御装置１０の各部は、ハードウェアで構成してもよいし、ソフトウェアで構成してもよい。ソフトウェアで構成する場合には、制御装置１０の少なくとも一部の機能を実現するプログラムをＣＤ−ＲＯＭ等の記録媒体に収納し、コンピュータに読み込ませて実行させてもよい。
【００２９】
本実施形態に係る熱転写印画装置は、印画シート７にインクリボン５の色材（染料）を熱転写して画像を形成する印画処理と、熱転写後（使用済み）のインクリボン５に残存する色材を印画シート７に熱転写して、使用済みインクリボンに残っている残像を消去する（判読出来ないようにする）残像消去処理とを行う。
【００３０】
印画制御部１１は、熱転写印画装置の各部の駆動を制御して印画処理を行う。印画処理では、まず、印画シート７とＹ層５１とが位置合わせされ、印画シート７及びインクリボン５を介してサーマルヘッド１がプラテンロール２に当接する。次に、キャプスタンローラ１３及びインクリボン回収ロール４が回転駆動して、印画シート７及びインクリボン５が後方側へ送られる。この間、画像データに基づいて、サーマルヘッド１によりＹ層５１の領域が選択的に順次加熱され、インクリボン５から印画シート７上にＹが昇華転写される。
【００３１】
Ｙの昇華転写後、サーマルヘッド１が上昇し、プラテンロール２から離れる。次に、印画シート７とＭ層５２とが位置合わせされる。この場合、印画シート７はプリントサイズに相当する距離だけ前方側へ送られるとともに、インクリボン５はＹ層５１とＭ層５２との間のマージンに相当する距離だけ後方側へ送られる。
【００３２】
Ｙを昇華転写する方法と同様にして、印画シート７上にＭ及びＣが順次昇華転写され、印画シート７上に画像が形成される。次に、サーマルヘッド１により画像全体にＯＰ層５４が転写されて、保護層が形成される。使用済みのインクリボン５は、インクリボン回収ロール４に巻き取られる。
【００３３】
その後、印画シート７は下流側でカッター８によりプリント枚葉７ａとして切り出される。プリント枚葉７ａは、図示を省略する排出口から排出される。印画処理では、１組の染料層５０を用いて、１画面（１枚のプリント枚葉７ａ）分の印画シート７に対して色材を転写して画像を形成する。
【００３４】
印画制御部１１は、Ｙ層５１、Ｍ層５２及びＣ層５３をそれぞれどの程度の濃度（エネルギー）で印画したかを示す印画濃度情報２１を作成し、記憶部２０に格納する。印画濃度情報２１は、使用済みのインクリボン５（染料層５０）の各組（各画面）について作成される。また、印画枚数カウント部１３は、印画したプリント枚葉７ａの枚数（画面数）をカウントし、記憶部２０の印画枚数カウント値２２を更新する。
【００３５】
残像消去処理部１２は、所定枚数（例えば２０枚）のプリント枚葉７ａの印画処理を行う毎に、熱転写印画装置の各部の駆動を制御して残像消去処理を行う。残像消去処理部１２は、記憶部２０の印画枚数カウント値が所定値に達すると、残像消去処理を開始する。
【００３６】
残像消去処理では、まず、インクリボン供給ロール３及びインクリボン回収ロール４を逆転し、インクリボン回収ロール３に巻き取られている使用済みのインクリボン５をインクリボン供給ロール３側に巻き戻す。所定組数（例えば２０組）の染料層５０に相当する長さの使用済みインクリボン５が巻き戻される。
【００３７】
次に、印画シート７と転写済みのＹ層５１とが位置合わせされ、印画シート７及びインクリボン５を介してサーマルヘッド１がプラテンロール２に当接する。次に、キャプスタンローラ１３及びインクリボン回収ロール４が回転駆動して、印画シート７及びインクリボン５が後方側へ送られる。この間、記憶部２０に格納されている攪乱パターンデータ２３に基づいて、サーマルヘッド１により使用済み（色材転写済み）のＹ層５１の領域が選択的に順次加熱され、インクリボン５から印画シート７上にＹが昇華転写される。
【００３８】
Ｙの昇華転写後、サーマルヘッド１が上昇し、プラテンロール２から離れる。次に、印画シート７と転写済みのＭ層５２とが位置合わせされる。この場合、印画シート７はプリントサイズに相当する距離だけ前方側へ送られるとともに、インクリボン５はＹ層５１とＭ層５２との間のマージンに相当する距離だけ後方側へ送られる。
【００３９】
Ｙを昇華転写する方法と同様にして、攪乱パターンデータ２３に基づいて、使用済みのＭ層５２、Ｃ層５３から、印画シート７上にＭ及びＣが順次昇華転写され、印画シート７上に攪乱パターンが形成される。攪乱パターン転写後のインクリボン５は、再度、インクリボン回収ロール４に巻き取られる。
【００４０】
このような攪乱パターンの転写を、巻き戻した使用済みインクリボン５に対して行う。なお、残像消去処理では、図４に示すように、１画面分の印画シート７ｂに対し、複数組（複数画面分）の使用済み染料層５０のＹ層５１、Ｍ層５２、Ｃ層５３を用いて攪乱パターンを転写する。これにより、残像消去処理に伴う印画シート７の使用量を抑えることができる。攪乱パターンが複数回転写された１画面分の印画シート７ｂは、カッター８で切り出されて破棄される。
【００４１】
１回目の転写（印画処理における転写）後のインクリボン５には、画像データに対応する残像が残っている。残像消去処理では、使用済みのインクリボン５を用いて攪乱パターンを転写する。２回目の転写（残像消去処理における転写）後のインクリボン５に残っている残像は、攪乱パターンが重なった画像となるため、使用済みインクリボンに残っている残像を消去する（判読出来ないようにする）ことができる。
【００４２】
攪乱パターンデータ２３は、人物画像用攪乱パターンデータ２３ａと、文字用攪乱パターンデータ２３ｂとを含む。例えば、人物画像用攪乱パターンデータ２３ａは市松模様のパターンデータであり、文字用攪乱パターンデータ２３ｂはランダムな文字のデータである。人物画像用攪乱パターンデータ２３ａと、文字用攪乱パターンデータ２３ｂとを合成した攪乱パターンを用いることができるようにしてもよい。
【００４３】
攪乱パターン選択部１５は、ユーザから、残像消去処理において、人物画像用攪乱パターンデータ２３ａと、文字用攪乱パターンデータ２３ｂのどちらを用いるかの選択を受け付ける。サーマルヘッド１は、選択された攪乱パターンデータに基づいて、使用済みのＹ層５１、Ｍ層５２、Ｃ層５３の加熱を行う。
【００４４】
残像消去処理部１２は、印画濃度情報２１を参照し、使用済みインクリボン５に残存している染料や、使用済みインクリボン５のダメージを推定し、攪乱パターンを転写する際にサーマルヘッド１に印加するエネルギーを調整する。これにより、インクリボン５に過度なダメージが与えられることを防止できる。
【００４５】
テンション制御部１４は、印画処理時のインクリボン供給ロール３及びインクリボン回収ロール４の巻径を計算したり、使用済みインクリボン５の巻き戻し量からインクリボン供給ロール３及びインクリボン回収ロール４の巻径を計算したりする。テンション制御部１４は、計算した巻径から、インクリボン供給ロール３やインクリボン回収ロール４に連結されたモータ（図示略）への印加電圧を調整し、インクリボン５に適切なテンションを与える。また、テンション制御部１４は、印画濃度情報２１に基づいて使用済みインクリボン５のダメージを推定し、ダメージに応じたテンションが付与されるように、モータへの印加電圧を調整してもよい。これにより、インクリボン５が切れることを防止できる。
【００４６】
残像消去処理後、印画枚数カウント部１３が記憶部２０の印画枚数カウント値２２をリセットし、印画処理が再開される。また、残像消去処理済みのインクリボン５（染料層５０）の印画濃度情報２１を削除してもよい。
【００４７】
このような熱転写印画装置を用いた熱転写印画方法を図５に示すフローチャートを用いて説明する。まず、未使用のインクリボン５及び印画紙ロール６を熱転写印画装置に装着する（ステップＳ１０１）。
【００４８】
印画制御部１１が、熱転写印画装置の各部の駆動を制御して印画処理を行う（ステップＳ１０２）。１組の染料層５０を用いて、サーマルヘッド１が画像データに基づいて印画シート７にＹ、Ｍ、Ｃを順に転写して画像を形成し、さらに保護層を形成した後、プリント枚葉７ａとして切り出す。１枚のプリント枚葉７ａの印画を行うと、印画枚数カウント値２２をカウントアップ（インクリメント）する。
【００４９】
印画枚数カウント値が所定値未満であり（ステップＳ１０４＿Ｎｏ）、インクリボン５が終了していない場合は（ステップＳ１０５＿Ｎｏ）、次の画面の印画処理に進む。
【００５０】
印画枚数カウント値が所定値に達した場合（ステップＳ１０４＿Ｙｅｓ）、残像消去処理を開始する。また、印画枚数カウント値が所定値未満であっても（ステップＳ１０４＿Ｎｏ）、インクリボン５が終了した場合は（ステップＳ１０５＿Ｙｅｓ）、同様に残像消去処理を開始する。
【００５１】
残像消去処理の開始に伴い、まず、インクリボン供給ロール３及びインクリボン回収ロール４を逆転し、所定枚数の印画処理に使用した使用済みインクリボン５をインクリボン供給ロール３側に巻き戻す（ステップＳ１０６）。
【００５２】
インクリボン供給ロール３及びインクリボン回収ロール４を正転する。サーマルヘッド１が攪乱パターンデータに基づいて使用済みのＹ層５１、Ｍ層５２及びＣ層５３を加熱し、印画シート７にＹ、Ｍ、Ｃを順に転写する（ステップＳ１０７）。
【００５３】
攪乱パターンの転写により、ステップＳ１０２の印画処理でインクリボン５に残った残像に攪乱パターンが重なるため、残像を判読出来ないようにすることができる。
【００５４】
次の組の染料層５０、すなわち次画面のインクリボン５の頭出しを行う（ステップＳ１０８）。巻き戻した使用済みインクリボン５の全てについて、攪乱パターンの転写を行う。複数組の使用済み染料層５０からの攪乱パターンの転写に、１画面分の印画シート７ｂ（図４参照）を繰り返し使用する。
【００５５】
巻き戻した使用済みインクリボン５の全てについて、攪乱パターンの転写を行った場合は残像消去処理を終了する（ステップＳ１０９＿Ｙｅｓ）。未使用のインクリボン５が残っている場合は（ステップＳ１１０＿Ｎｏ）、印画枚数カウント値２２をリセットして（ステップＳ１１１）、印画処理を再開する。
【００５６】
このように、本実施形態では、サーマルヘッド１が、画像データに基づいてインクリボン５を加熱して印画シート７に画像を形成すると共に、攪乱パターンデータに基づいて使用済みインクリボン５を加熱して残像消去処理を行う。残像消去のために転写機構を別途設ける必要がないため、コストを抑えることができる。
【００５７】
また、複数組の染料層５０の攪乱パターンの転写に、１画面分の印画シート７ｂ（図４参照）を繰り返し使用するため、印画紙コストを抑えることができる。
【００５８】
上記実施形態では、所定枚数のプリント枚葉７ａ（所定画面数）の印画処理を行う毎に残像消去処理を行う例について説明したが、インクリボン５を最後まで使用した後に、全ての使用済みインクリボン５に対して残像消去処理を施してもよい。このような熱転写印画方法を図６に示すフローチャートを用いて説明する。まず、未使用のインクリボン５及び印画紙ロール６を熱転写印画装置に装着する（ステップＳ２０１）。
【００５９】
印画制御部１１が、熱転写印画装置の各部の駆動を制御して印画処理を行う（ステップＳ２０２）。インクリボン５が終了する（インクリボン５の全領域を使用し、未使用のインクリボン５がなくなる）まで印画処理を継続する。
【００６０】
インクリボン５が終了すると（ステップＳ２０３＿Ｙｅｓ）、残像消去処理を開始する。残像消去処理の開始に伴い、まず、インクリボン供給ロール３及びインクリボン回収ロール４を逆転し、全ての使用済みインクリボン５をインクリボン供給ロール３側に巻き戻す（ステップＳ２０４）。
【００６１】
インクリボン供給ロール３及びインクリボン回収ロール４を正転し、インクリボン供給ロール３から使用済みのインクリボン５を供給する。サーマルヘッド１が攪乱パターンデータに基づいて使用済みのＹ層５１、Ｍ層５２及びＣ層５３を加熱し、印画シート７にＹ、Ｍ、Ｃを順に転写する（ステップＳ２０５）。
【００６２】
次の組の染料層５０、すなわち次画面のインクリボン５の頭出しを行う（ステップＳ２０６）。巻き戻した使用済みインクリボン５の全てについて、攪乱パターンの転写を行うと（ステップＳ２０７＿Ｙｅｓ）、処理を終了する。
【００６３】
図６に示すフローでは、使用済みインクリボン５をインクリボン供給ロール３側に巻き戻した後、インクリボン供給ロール３及びインクリボン回収ロール４を正転して攪乱パターンを転写しているが、使用済みインクリボン５をインクリボン供給ロール３側に巻き戻しながら攪乱パターンを転写してもよい。このような方法では、攪乱パターンを転写した残像消去処理後のインクリボン５がインクリボン供給ロール３に巻き取られる。
【００６４】
上記実施形態では、図４に示すように、複数組の染料層５０の攪乱パターンの転写に、１画面分の印画シート７ｂを使用する例について説明したが、図７に示すように、３画面分の印画シート７Ｙ、７Ｍ、７Ｃを使用し、複数の使用済みのＹ層５１、Ｍ層５２、Ｃ層５３からの攪乱パターンの転写を、それぞれ印画シート７Ｙ、７Ｍ、７Ｃに行うようにしてもよい。印画シートの使用量は増えるが、サーマルヘッド１を上昇・下降させる回数が減り、残像消去処理に要する時間を短縮することができる。
【００６５】
上記実施形態において、保護層上に色材を転写できる場合は、ＯＰ層５４を用いて攪乱パターンを転写し、ＯＰ層５４に対する残像消去処理を行ってもよい。
【００６６】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６７】
１  サーマルヘッド
２  プラテンロール
３  インクリボン供給ロール
４  インクリボン回収ロール
５  インクリボン
６  印画紙ロール
７  印画シート
８  カッター
９ａ  キャプスタンローラ
９ｂ  ピンチローラ
１０  制御装置
１１  印画制御部
１２  残像消去処理部
１３  印画枚数カウント部
１４  テンション制御部
１５  攪乱パターン選択部
２０  記憶部
【図１】
0006736984.tif 000002
【図２】
0006736984.tif 000003
【図３】
0006736984.tif 000004
【図４】
0006736984.tif 000005
【図５】
0006736984.tif 000006
【図６】
0006736984.tif 000007
【図７】
0006736984.tif 000008